(57)【要約】【課題】  所望の再生画像を投影面に大きく投影して鑑賞することができる撮影装置を提供する。【解決手段】  撮影レンズを通って入射する被写体像に撮影情報を重畳する表示手段と、この表示手段によって撮影情報が重畳した被写体像を接眼レンズによって結像させて観察するファインダと、表示手段の接眼レンズが設けられた側に設けられた光源と、この光源から出射される光を表示手段に導く導光手段と、表示手段に撮影情報に代えて所望の再生画像を表示させる表示切換制御手段と、表示手段の接眼レンズが設けられた側と反対側にある撮影レンズにより、導光手段によって導かれる光により表示手段の接眼レンズが設けられた側から表示手段が照明されて反対側に映し出される再生画像を被写体側に投影する投影手段とを備えて撮影装置を構成した。【選択図】  図２
2011010098.tif 000002
【特許請求の範囲】
【請求項１】
撮影レンズを通って入射する被写体像に撮影情報を重畳する表示手段と、
この表示手段によって撮影情報が重畳した被写体像を接眼レンズによって結像させて観察するファインダと、
前記表示手段の前記接眼レンズが設けられた側に設けられた光源と、
この光源から出射される光を前記表示手段に導く導光手段と、
記録された所望の再生画像を撮影情報に代えて前記表示手段に表示させる表示切換制御手段と、
前記表示手段の前記接眼レンズが設けられた側と反対側にある前記撮影レンズにより、前記導光手段によって導かれる光により前記表示手段の前記接眼レンズが設けられた側から前記表示手段が照明されて前記反対側に映し出される前記再生画像を被写体側に投影する投影手段と
を備えていることを特徴とする撮影装置。
【請求項２】
請求項１に記載の撮影装置において、
前記撮影レンズの焦点距離を調節する焦点距離調節手段と、
前記表示切換制御手段により前記表示手段に表示されて前記撮影レンズにより投影面に投影される所定のパターン画像を用いて前記投影面における投影画像のピント調節を前記焦点距離調節手段に行わせるピント調節手段と
を備えていることを特徴とする撮影装置。
【請求項３】
請求項１または請求項２に記載の撮影装置において、
前記表示手段によって撮影情報が重畳した被写体像を前記ファインダに導く観察位置と、前記光源から出射される光が前記表示手段に導かれて前記表示手段に表示される前記再生画像を前記撮影レンズによって投影させる投影位置とに、前記導光手段を駆動する駆動手段を備えていることを特徴とする撮影装置。
【発明の詳細な説明】
【技術分野】
【０００１】
本発明は、撮影装置に関するものである。
【背景技術】
【０００２】
従来、このような撮影装置としては、例えば、特許文献１に開示される撮影装置がある。この撮影装置は、撮影された画像信号により液晶表示板を駆動し、被写体をこの液晶表示板に表示して接眼レンズを通して確認することができる電子ビューファインダを備えている。撮影装置が電子ビューファインダモードに設定されている場合、撮影者は、接眼レンズから液晶表示板を覗き込むことにより、液晶表示板に表示される撮影画像を見ることができる。一方、撮影装置がプロジェクタモードに設定されている場合、再生画像情報を担持した光が電子ビューファインダの接眼レンズを介して撮影装置外部のスクリーンに投影され、複数の者が同時にスクリーンに投影される再生画像を見ることができる。
【先行技術文献】
【特許文献】
【０００３】
【特許文献１】特開平５−３４４３９２号公報
【発明の概要】
【発明が解決しようとする課題】
【０００４】
しかしながら、上記従来の撮影装置は、スクリーンに投影されて表示される再生画像が小さいため、スクリーンに投影される再生画像を多人数で確認や鑑賞することができなかった。
【課題を解決するための手段】
【０００５】
本発明はこのような課題を解決するためになされたもので、
撮影レンズを通って入射する被写体像に撮影情報を重畳する表示手段と、
この表示手段によって撮影情報が重畳した被写体像を接眼レンズによって結像させて観察するファインダと、
表示手段の接眼レンズが設けられた側に設けられた光源と、
この光源から出射される光を表示手段に導く導光手段と、
記録された所望の再生画像を撮影情報に代えて前記表示手段に表示させる表示切換制御手段と、
表示手段の接眼レンズが設けられた側と反対側にある撮影レンズにより、導光手段によって導かれる光により表示手段の接眼レンズが設けられた側から表示手段が照明されて反対側に映し出される再生画像を被写体側に投影する投影手段と
を備えて撮影装置を構成した。
【発明の効果】
【０００６】
本発明による撮影装置によれば、所望の再生画像を投影面に大きく投影して鑑賞することができるようになる。
【図面の簡単な説明】
【０００７】
【図１】本発明の一実施の形態によるデジタルカメラの内部構成を示す側面図であり、（ａ）は光学ファインダ使用時、（ｂ）はライブビュー使用時を表している。
【図２】図１に示すデジタルカメラの内部構成を示すプロジェクタ使用時の側面図である。
【図３】図１に示すデジタルカメラの電気回路構成の概略を示すブロック図である。
【図４】図１に示すデジタルカメラにおいて、プロジェクタモードでスクリーンに投影されるパターン画像を示す図である。
【図５】図１に示すデジタルカメラのＣＰＵにより行われる撮影処理および投影処理の概略を示すフローチャートである。
【発明を実施するための形態】
【０００８】
次に、本発明による撮影装置をデジタルカメラに適用した場合における一実施の形態について説明する。
【０００９】
図１（ａ）は、この一実施の形態によるデジタルカメラ１の内部構成を示す光学ファインダ使用時の側面図、同図（ｂ）はライブビュー使用時の側面図である。
【００１０】
被写体からの光は、デジタルカメラ１に着脱自在な撮影レンズ２を介して、デジタルカメラ１内に取り込まれる。撮影レンズ２を構成するＡＦ（Auto Focus）レンズ３は、撮影レンズ２がデジタルカメラ１に装着された状態でＡＦモータ４の駆動によって光軸上を移動し、撮影レンズ２の焦点距離を変化させる。
【００１１】
同図（ａ）に示すように、撮影レンズ２の背後のデジタルカメラ１の筐体内部には、撮影レンズ２から入射した被写体光の一部をファインダ１１側へ反射させると共に一部を透過させる、ハーフミラーからなる第一ミラー５が軸支されている。第一ミラー５の背面側中央部上方には、第一ミラー５を透過した透過光を反射させる第二ミラー６が軸支されている。各ミラー５，６の背後には、シャッタ７を介して、ＣＣＤ（Charge Coupled Device）やＣＭＯＳ（Complementary Metal Oxide Semiconductor）などからなる撮像素子８が設けられている。また、各ミラー５，６の下方には、第二ミラー６で反射した被写体光が入射するＡＦモジュール９が設けられている。第一ミラー５および第二ミラー６が、同図（ａ）に示すようにミラーダウンした状態から支軸を中心に上方に回動して同図（ｂ）に示すようにミラーアップすると、被写体光は撮像素子８に導かれ、撮像面８ａに被写体像が結像する。
【００１２】
デジタルカメラ１の背面側には、ＴＦＴ（Thin Film Transistor）液晶パネルからなる背面モニタ１０が設けられており、背面モニタ１０の上方には、被写体像を観察するファインダ１１が設けられている。ファインダ１１の内部には接眼レンズ１３が設けられており、接眼レンズ１３の奥にはペンタプリズム１４が設けられている。ペンタプリズム１４の下方には、透光性を有する自己発光型の有機ＥＬ（Electro Luminescence）パネルで構成されるファインダ内表示装置１２が設けられている。第一ミラー５で反射した被写体光はこのファインダ内表示装置１２を透過する際、ファインダ内表示装置１２に表示される撮影情報が重畳し、ファインダ１１では撮影情報と共に被写体像が観察される。ファインダ内表示装置１２は、撮影レンズ２を通って入射する被写体像に撮影情報を重畳する表示手段を構成している。
【００１３】
また、接眼レンズ１３とペンタプリズム１４との間の上方には、プロジェクタミラー１５が、その右端部が軸支された状態で設けられている。プロジェクタミラー１５の反射面の上方には、レンズ１６を介してプロジェクタ光源１７が設けられている。このプロジェクタ光源１７の上半分の周囲には、プロジェクタ光源１７からの出射光を下方向に反射させるための反射板１８が設けられている。プロジェクタミラー１５が図示する観察位置にある場合、ファインダ内表示装置１２によって撮影情報が重畳した被写体像が同図（ａ）に示すようにペンタプリズム１４によって接眼レンズ１３に導かれ、接眼レンズ１３で結像されてファインダ１１において観察される。一方、プロジェクタミラー１５が、右端部の支軸を中心に左端部が下方に回動して図２に示す投影位置にある場合、プロジェクタ光源１７から出射される光はプロジェクタミラー１５で反射してファインダ内表示装置１２に導かれ、ファインダ内表示装置１２に表示される再生画像は第一ミラー５で反射して、撮影レンズ２によってデジタルカメラ１の前方にあるスクリーン３５に投影される。なお、図２において図１と同一または相当する部分には同一の符号を付してその説明は省略する。
【００１４】
撮影レンズ２は、焦点距離が接眼レンズ１３よりも長く、有効レンズ径も接眼レンズ１３よりも大きいなどの光学要素を有している。この撮影レンズ２は、ファインダ内表示装置１２の接眼レンズ１３が設けられた側と反対側にあり、投影性能が接眼レンズよりも高い。また、プロジェクタ光源１７は、ファインダ内表示装置１２の接眼レンズ１３が設けられた側に設けられた光源を構成しており、プロジェクタミラー１５およびペンタプリズム１４は、プロジェクタ光源１７から出射される光をファインダ内表示装置１２に導く導光手段を構成している。また、撮影レンズ２および第一ミラー５は、この導光手段によって導かれる光により、ファインダ内表示装置１２の接眼レンズ１３が設けられた側からファインダ内表示装置１２が照明されて、ファインダ内表示装置１２の接眼レンズ１３が設けられた側と反対側に映し出される再生画像を、被写体側に投影する投影手段を構成している。
【００１５】
図３は、図１に示すデジタルカメラ１の電気回路構成の概略を示すブロック図である。
【００１６】
デジタルカメラ１は、ＣＰＵ（Central Processing Unit）２１を備えている。ＣＰＵ２１には図示しない不揮発性メモリおよびバッファメモリが接続されており、不揮発性メモリには、ＣＰＵ２１が種々の制御を行う際に参照される制御プログラムなどが格納されている。ＣＰＵ２１は、不揮発性メモリに格納されている制御プログラムに従い、バッファメモリを一時記憶作業領域として回路各部の制御を行い、デジタルカメラ１の種々の装置機能を作動させる。
【００１７】
撮影レンズ２を介してデジタルカメラ１内に取り込まれた被写体光は、撮像素子８の撮像面８ａ上に結像する。撮像素子駆動回路２２がＣＰＵ２１からの制御信号に基づいて撮像素子８を駆動させることにより、撮像素子８の撮像面８ａ上に結像した被写体像はアナログの撮像信号に変換されて、ＡＦＥ（Analog Front End）回路２３に出力される。撮像信号はＡＦＥ回路２３で所定のアナログ処理が施され、Ａ／Ｄ（Analog/Digital）変換部２４においてデジタル信号に変換される。ＡＳＩＣ（Application Specific Integrated Circuit）２５は、画像処理回路を構成しており、Ａ／Ｄ変換部２４でデジタル信号に変換された撮像信号を入力し、この撮像信号に対して、ホワイトバランス処理やガンマ補正などの画像処理を行い、撮影された画像の画像データを生成する。ＡＳＩＣ２５によって生成された画像データは、ＣＰＵ２１により圧縮処理が施されて、バッファメモリに一時的に記憶されると共に、デジタルカメラ１に着脱自在な図示しないメモリカードに記録される。
【００１８】
画像表示回路２６は、ＣＰＵ２１からの制御信号に基づき、現在設定されているシャッタースピードや露出値等の撮影情報をファインダ内表示装置１２に表示させ、また、撮像素子８の撮像面８ａで撮像される撮影画像などを背面モニタ１０にスルー画として表示させる。本実施形態では、ファインダ内表示装置１２には、メモリカードなどに記録された画像の中からユーザによって選択される画像が、画像表示回路２６によって再生表示される。ＣＰＵ２１および画像表示回路２６は、記録された所望の再生画像を撮影情報に代えてファインダ内表示装置１２に表示させる表示切換制御手段を構成している。
【００１９】
また、ＣＰＵ２１には、デジタルカメラ１の動作モードを切り換える動作モードＳＷ（スイッチ）１１、シャッターボタンの半押し操作を検出するＡＦ−ＳＷ２８、およびシャッターボタンの全押し操作を検出するレリーズＳＷ２９が接続されている。動作モードＳＷ２７が切換操作されることで、デジタルカメラ１の動作モードは、ファインダ１１で被写体の構図を取って撮影を行うカメラモード、背面モニタ１０で被写体の構図を取って撮影を行うライブビューモード、または、外部スクリーン３５に撮影画像を投影して撮影画像の再生表示を行うプロジェクタモードのうちのいずれかの動作モードに、切り換えらる。また、ＡＦ−ＳＷ２８が操作されることで、撮影レンズ２の焦点距離が自動調整される。また、レリーズＳＷ２９が操作されることで、撮影レンズ２から入射する被写体像の撮影が行われる。
【００２０】
また、ＣＰＵ２１には、ＡＦ回路３０を介して上述したＡＦモジュール９が接続されていると共に、ＡＦレンズ駆動回路３１を介して上述したＡＦモータ４が接続されている。
【００２１】
ＡＦ回路３０は、ＡＦ−ＳＷ２８の操作が検出されると、ＡＦモジュール９により、上述した第二ミラー６で反射されて入射した被写体光をセパレータレンズで分離してＡＦセンサに結像させ、結像した２つの被写体像の間隔を計測する。ＡＦレンズ駆動回路３１は、この計測された間隔が一定になるように上述したＡＦモータ４を駆動し、撮像素子８の撮像面８ａに結像される被写体像のピントが合う合焦位置にＡＦレンズ３を移動させ、撮影レンズ２の焦点距離を位相差検出方式によって自動調節する。ＣＰＵ２１、ＡＦ回路３０、ＡＦモジュール９、ＡＦレンズ駆動回路３１およびＡＦレンズ３は、撮影レンズ２の焦点距離を調節する焦点距離調節手段を構成している。
【００２２】
また、ＣＰＵ２１には、シャッター駆動回路３３が接続されている。シャッター駆動回路３３は、レリーズＳＷ２９の操作が検出されるとシャッター７を開く制御を行う。シャッター駆動回路３３の制御によってシャッター７が所定時間開放されることで、撮像素子８の撮像面８ａに被写体像が所定時間露光されて撮影が行われる。
【００２３】
また、ＣＰＵ２１にはミラー駆動回路３２および光源駆動回路３４が接続されている。ミラー駆動回路３２は、ＣＰＵ２１からの制御信号に基づき、各ミラー５，６，１５を駆動する。第一ミラー５および第二ミラー６は、ミラー駆動回路３２により、図１（ａ）に示すカメラモードや図２に示すプロジェクタモードでは同図に示すようにミラーダウンし、図１（ｂ）に示すライブビューモードでは同図に示すようにミラーアップする。また、プロジェクタミラー１５は、ミラー駆動回路３２により、図１（ａ）に示すカメラモードでは同図に示すようにミラーアップして観察位置に移動し、図２に示すプロジェクタモードでは同図に示すようにミラーダウンして投影位置に移動する。また、光源駆動回路３４は、プロジェクタモードにおいてプロジェクタミラー１５が投影位置に移動したときに、プロジェクタ光源１７を発光させる制御を行う。プロジェクタ光源１７から出射した光はプロジェクタミラー１５およびペンタプリズム１４によってファインダ内表示装置１２に導かれ、ファインダ内表示装置１２を接眼レンズ１３側から照明する。このため、ファインダ内表示装置１２に表示される再生画像は、この照明によってファインダ内表示装置１２の撮影レンズ２側に映し出され、第一ミラー５によって反射して撮影レンズ２により図２に示すようにスクリーン３５に投影される。
【００２４】
ミラー駆動回路３２は、ファインダ内表示装置１２によって撮影情報が重畳した被写体像をファインダ１１に導く図１（ａ）に示す観察位置と、プロジェクタ光源１７から出射される光をファインダ内表示装置１２に導いてファインダ内表示装置１２に表示される再生画像を撮影レンズ２によって投影させる図２に示す投影位置とに、プロジェクタミラー１５を駆動する駆動手段を構成している。また、スクリーン３５に投影される被写体像のピント調節は、予め、図４に示すような所定のパターン画像がスクリーン３５に映し出され、ＣＰＵ２１の制御により、映し出されたパターン画像に撮影レンズ２の焦点距離が合うようにＡＦレンズ３の位置が上述した焦点距離調節手段によって調節されて、行われる。ＣＰＵ２１は、表示制御手段によりファインダ内表示装置１２に表示されて撮影レンズ２によりスクリーン３５に投影される所定のパターン画像を用いて、スクリーン３５における投影画像のピント調節を焦点距離調節手段に行わせるピント調節手段を構成している。
【００２５】
図５は、ＣＰＵ２１により行われる撮影処理および投影処理の概略を示すフローチャートである。
【００２６】
ＣＰＵ２１は、図５，Ｓ１において、電源ＳＷがオン（ＯＮ）操作されて回路各部に電源が供給され、Ｓ２において、動作モードＳＷ２７が操作されたことを検出すると、Ｓ３において、動作モードがカメラモードに切り換えられたか否かを判別する。カメラモードに切り換えられていて、この判別が“ＹＥＳ”である場合、ＣＰＵ２１は、Ｓ４において、ファインダ内表示装置１２の作動状態を“ＯＮ”にし、デジタルカメラ１に現在設定されている撮影情報をファインダ内表示装置１２に表示させる。この状態で、撮影レンズ２から被写体光が入射することにより、ファインダ１１では、撮影情報が重畳した被写体像が観察される。次に、ＣＰＵ２１は、Ｓ５において、ＡＦ−ＳＷ２８が“ＯＮ”になっているか否かを判別する。この判別が“ＮＯ”である場合、Ｓ５の処理は繰り返し行われる。ＡＦ−ＳＷ２８が“ＯＮ”になって、Ｓ５の判別が“ＹＥＳ”になると、ＣＰＵ２１は、Ｓ６において測光・ＡＦ処理を行う。この測光・ＡＦ処理では、ＣＰＵ２１は、ＡＦモジュール９での測光結果に基づき、ＡＦ回路３０によって被写体像の位相差を検出し、この検出結果に応じてＡＦレンズ駆動回路３１にＡＦモータ４を駆動させ、ＡＦレンズ３を被写体像のピントが合う合焦位置に移動させる。
【００２７】
次に、ＣＰＵ２１は、Ｓ７において、レリーズＳＷ２９が“ＯＮ”になっているか否かを判別する。この判別が“ＮＯ”である場合、処理はＳ５に戻り、上述した処理が繰り返される。レリーズＳＷ２９が“ＯＮ”になって、Ｓ７の判別が“ＹＥＳ”になると、ＣＰＵ２１は、Ｓ８において、第一ミラー５および第二ミラー６を図１（ａ）に示す状態から上方へ跳ね上げるミラーアップ処理を行い、撮影レンズ２から入射する被写体光を撮像素子８へ導く。続いて、ＣＰＵ２１は、Ｓ９において、絞りの開口量を制御する絞り駆動処理を行い、適正露出が得られるように撮影レンズ２から入射する被写体光の光量を調節する。続いて、ＣＰＵ２１は、Ｓ１０において、撮影処理を行う。この撮影処理では、シャッター７によって撮像素子８の撮像面８ａに所定時間露光された被写体像を光電変換し、所定の画像処理を施して画像データを生成し、生成した画像データをメモリカードに記録する。次に、ＣＰＵ２１は、Ｓ１１において、Ｓ８でミラーアップした各ミラー５，６を図１（ａ）に示す元のミラーダウン位置に戻す処理を行って、撮影処理を終了する。
【００２８】
また、Ｓ３で、動作モードがカメラモードに切り換えられていなくて、Ｓ３の判別が“ＮＯ”である場合、ＣＰＵ２１は、Ｓ１２において、動作モードＳＷ２７によって動作モードがライブビューモードに切り換えられたか否かを判別する。ライブビューモードに切り換えられていて、この判別が“ＹＥＳ”である場合、ＣＰＵ２１は、Ｓ１３において、第一ミラー５および第二ミラー６を図１（ｂ）に示す位置に跳ね上げる上述のミラーアップ処理を行う。続いて、ＣＰＵ２１は、Ｓ１４において、シャッター７を開放する処理を行い、撮影レンズ２を介して入射する被写体光がシャッター７を通過して撮像素子８の撮像面８ａに届くようにする。次に、ＣＰＵ２１は、Ｓ１５において、撮像素子８の撮像面８ａで撮像される被写体像をスルー画として背面モニタ１０に表示させる処理を行う。ライブビューモードでは、Ｓ１３の処理により、撮影レンズ２を介してデジタルカメラ１内に取り込まれた被写体光がファインダ１１には到達しないため、ファインダ１１から被写体像を観察することはできないが、上記のＳ１５の処理により、背面モニタ１０で被写体の構図を取ることが可能となる。
【００２９】
次に、ＣＰＵ２１は、Ｓ１６において、ＡＦ−ＳＷ２８が“ＯＮ”になっているか否かを判別する。この判別処理が“ＮＯ”である場合、処理はＳ１３に戻り、上述した処理が繰り返される。一方、ＡＦ−ＳＷ２８が“ＯＮ”になり、Ｓ１６の判別が“ＹＥＳ”になると、ＣＰＵ２１は、Ｓ１７において測光・ＡＦ処理を行う。ライブビューモードでは、Ｓ１３の処理で第一ミラー５および第二ミラー６がミラーアップして、被写体光がＡＦモジュール９に到達しない状態となっているため、Ｓ１７における測光・ＡＦ処理は、Ｓ６の処理とは異なり、撮像素子８の撮像面８ａで結像される被写体像を用いたコントラスト検出方式によって行われる。コントラスト検出方式による測光・ＡＦ処理によってＡＦレンズ駆動回路３１によりＡＦモータ４が駆動され、ＡＦレンズ３が被写体像のピントが合う合焦位置に移動させられる。
【００３０】
次に、ＣＰＵ２１は、Ｓ１８において、レリーズＳＷ２９が“ＯＮ”になっているか否かを判別する。この判別が“ＮＯ”である場合、処理はＳ１３に戻り、上述した処理が繰り返される。レリーズＳＷ２９が“ＯＮ”になって、Ｓ１８の判別が“ＹＥＳ”になると、ＣＰＵ２１は、Ｓ１９において、Ｓ９と同様に絞り駆動処理を行う。続いて、ＣＰＵ２１は、Ｓ２０において、Ｓ１０と同様に撮影処理を行う。その後、ＣＰＵ２１は、Ｓ２１において、Ｓ１３の処理でミラーアップさせた第一ミラー５および第二ミラー６を図１（ｂ）に示す位置から図１（ａ）に示す元の位置に戻すミラーダウン処理を行い、撮影処理を終了する。
【００３１】
また、Ｓ１２で、動作モードがプロジェクタモードに切り換えられていて、Ｓ１２の判別が“ＮＯ”である場合、ＣＰＵ２１は、Ｓ２２において、プロジェクタミラー１５を図２に示す投影位置に移動させるプロジェクタミラーダウン処理を行う。続いて、ＣＰＵ２１は、Ｓ２３において、ファインダ内表示装置１２の作動状態を“ＯＮ”にすると共に、Ｓ２４において、プロジェクタ光源１７を“ＯＮ”にしてプロジェクタ光源１７の点灯を開始させる。プロジェクタ光源１７から出射される光は、反射板１８によって下方に反射された光と共にレンズ１６で平行光にされ、プロジェクタミラー１５およびペンタプリズム１４に導かれてファインダ内表示装置１２を接眼レンズ１３側から照明する。
【００３２】
次に、ＣＰＵ２１は、Ｓ２５において、ＡＦ−ＳＷ２８が“ＯＮ”になっているか否かを判別する。この判別が“ＹＥＳ”である場合、ＣＰＵ２１は、Ｓ２６において、図４に示す黒色および白色のストライプ模様で構成されたパターン画像をファインダ内表示装置１２に表示させて、スクリーン３５の白色の投影面に投影させるパターン投影処理を行う。このパターン投影処理では、ファインダ内表示装置１２に表示されるパターン画像をプロジェクタ光源１７からの光によってファインダ内表示装置１２の撮影レンズ２側に映し出し、第一ミラー５によって反射させて撮影レンズ２で拡大することにより、スクリーン３５にパターン画像が大きく投影される。
【００３３】
次に、ＣＰＵ２１は、Ｓ２７においてＡＦ処理を行う。このＡＦ処理では、ＣＰＵ２１は、スクリーン３５に投影されているパターン画像からの光を図２に示すように第二ミラー６でＡＦモジュール９に反射し、ＡＦモジュール９でパターン画像を測光し、ＡＦ回路３０によってパターン画像の位相差を検出する。ＣＰＵ２１は、この検出結果に基づき、ＡＦレンズ駆動回路３１を制御してＡＦモータ４を駆動し、スクリーン３５に投影されているパターン画像のピントが合う合焦位置にＡＦレンズ３を移動させる。
【００３４】
ＡＦ−ＳＷ２８が“ＯＮ”になっていなくて、Ｓ２５の判別が“ＮＯ”である場合、またはＳ２７の処理が終了すると、ＣＰＵ２１は、Ｓ２８において、メモリカードなどに記録された画像の中からユーザによって選択される画像をファインダ内表示装置１２に再生表示させて、所望の再生画像をスクリーン３５に投影させる画像投影処理を行う。次に、ＣＰＵ２１は、Ｓ２９において、動作モードＳＷ２７の切換操作などによってプロジェクタモードを終了させる操作が行われたか否かを判別する。この判別が“ＮＯ”である場合、処理はＳ２５に戻り、上述した処理が繰り返される。一方、Ｓ２９の判別が“ＹＥＳ”である場合、ＣＰＵ２１は、Ｓ３０において画像表示終了処理を行う。この処理では、ＣＰＵ２１は、Ｓ２２で図２に示す投影位置に移動させたプロジェクタミラー１５を、図１（ａ）に示す観察位置に戻すと共に、Ｓ２４で点灯したプロジェクタ光源１７を消灯して、スクリーン３５への再生画像の投影を終了させる。Ｓ３０の処理が終了すると、ＣＰＵ２１は、投影処理を終了する。
【００３５】
このような本実施形態によるデジタルカメラ１によれば、上述したように、図５，Ｓ４の処理により、ファインダ内表示装置１２によって撮影情報が重畳した被写体像がファインダ１１において観察される。また、Ｓ２８の処理で、プロジェクタミラー１５およびペンタプリズム１４によってプロジェクタ光源１７からファインダ内表示装置１２に導かれた光によりファインダ内表示装置１２が照明されて、ファインダ内表示装置１２に表示された所望の再生画像が、ファインダ内表示装置１２の接眼レンズ１３が設けられた側と反対側に映し出され、撮影レンズ２によって被写体側に設けられたスクリーン３５に投影される。本実施形態では、撮影レンズ２は、焦点距離が接眼レンズ１３よりも長く、有効レンズ径も接眼レンズよりも大きいなどの光学要素を有して、投影性能が接眼レンズ１３よりも高い。このため、スクリーン３５に投影される再生画像を、従来のデジタルカメラのように接眼レンズ１３によって投影される場合に比べて高い倍率で拡大させて、明確に投影することが可能となる。従って、所望の再生画像をスクリーン３５に大きく投影して多人数で確認や鑑賞することができるようになる。
【００３６】
また、外部のスクリーン３５とデジタルカメラ１との間の距離は不確定であり、投影環境により変化するものであるため、Ｓ２４の処理の後で直ちに再生画像をスクリーン３５に投影させてしまうと、ピントの合っていない状態となる可能性が高い。しかし、本実施形態では、図５，Ｓ２６の処理で、ＣＰＵ２１によりファインダ内表示装置１２に図４に示すパターン画像が表示され、表示されたパターン画像は撮影レンズ２によってスクリーン３５に投影される。撮影レンズ２の焦点距離は、スクリーン３５に投影されたパターン画像にピントが合うように、Ｓ２７の処理で、ピント調節手段の制御に基づいて焦点距離調節手段により調節される。このため、ファインダ内表示装置１２に表示される再生画像をピントが合った状態でスクリーン３５に投影することができる。
【００３７】
また、本実施形態では、ミラー駆動回路３２によってプロジェクタミラー１５が図１（ａ）に示す観察位置に駆動されると、ファインダ内表示装置１２によって撮影情報が重畳した被写体像がファインダ１１から観察される。また、図５，Ｓ２２の処理で、ミラー駆動回路３２によってプロジェクタミラー１５が図２に示す投影位置に駆動されると、プロジェクタ光源１７から出射された光によってファインダ内表示装置１２が照明され、ファインダ内表示装置１２に表示される再生画像が撮影レンズ２によって投影される。このため、既存のデジタルカメラに、ミラー駆動回路３２によって駆動されるプロジェクタミラー１５をプロジェクタ光源１７と共に設けるだけで、再生画像の拡大投影を明確に行えるデジタルカメラ１を安価に提供することが可能になる。
【００３８】
なお、上記実施形態では、本発明による撮影装置を、撮影レンズ２が着脱自在な一眼レフ方式のデジタルカメラ１に適用した場合を説明したが、本発明による撮影装置は、撮影レンズが一体となったコンパクトタイプのデジタルカメラや、撮影レンズ２から入射して撮像素子８に届く被写体像をファインダ１１で観察できる一眼レフ方式以外のデジタルカメラに適用することも可能である。
【００３９】
また、上記実施形態では、プロジェクタモードにおいて、シャッターボタンが半押しされ、図５，Ｓ２５の処理でＡＦ−ＳＷ２８が“ＯＮ”になると、Ｓ２７の処理でＡＦ機能が作動する場合を説明したが、本発明はこれに限られるものではない。例えば、プロジェクタモードにおいて、Ｓ２７のＡＦ機能を作動させる専用の操作部材を設け、この操作部材が操作されると、スクリーン３５に図４に示すパターン画像が投影されて撮影レンズ２の投影時の焦点距離が調節される構成とすることも可能である。
【００４０】
また、上記実施形態では、ファインダ内表示装置１２として透光性を有する自己発光型の有機ＥＬパネルを用いた場合を説明したが、ファインダ内表示装置１２に用いる表示パネルは、例えば透光性を有する透明液晶などでもよく、その種類は適宜変更可能である。
【００４１】
また、上記実施形態では、動作モードがライブビューモードに切り換えられているときには、背面モニタ１０に被写体像が表示される場合を説明したが、本発明はこれに限られるものではない。例えば、ライブビューモードにおいて、撮像素子８から出力される撮像信号から生成された画像データに基づいて、スルー画がファインダ内表示装置１２に表示される構成としてもよい。また、ライブビューモードにおいて、背面モニタ１０またはファインダ内表示装置１２のいずれか一方ではなく、両方にスルー画が表示される構成とすることも可能である。上記構成によれば、ライブビューモードにおいてもファインダ１１で被写体像が観察されるようになり、撮影者は、カメラモードのときと同様、ファインダ１１を覗いて被写体の構図の確認を行えるようになる。なお、上記構成では、ライブビューモードにおいて第一ミラー５および第二ミラー６がミラーアップしてファインダ内表示装置１２への光の入射が遮断された状態で、ファインダ内表示装置１２にスルー画が表示されることになるが、ファインダ内表示装置１２には自己発光型の有機ＥＬパネルを用いているため、撮影者は、ファインダ１１で被写体像を視認できる。
【００４２】
また、上記実施形態では、撮影レンズ２によって再生画像がスクリーン３５に投影される場合を説明したが、本発明はこれに限られるものではない。例えば、ファインダ内表示装置１２の接眼レンズ１３が設けられた側とは反対側における任意の位置に、接眼レンズ１３よりも投影性能が高い、撮影レンズ２とは異なる他のレンズを備え、この他のレンズによって再生画像がスクリーン３５に投影される構成とすることも可能である。
【００４３】
また、上記実施形態では、図５，Ｓ２６の処理で、所定のパターン画像として図５に示す縞模様の画像をスクリーン３５に投影させる場合を説明したが、スクリーン３５に投影させる所定のパターン画像は適宜変更可能である。
【００４４】
また、上記実施形態では、図５，Ｓ２で、動作モードＳＷ２７が操作されることで動作モードが切り換えられる場合を説明した。しかしながら、本発明はこれに限られるものではなく、例えば、背面モニタ１０に表示されるメニュー画面において動作モードの切り換えが行われる構成とすることも可能である。また、例えば、プロジェクタモードを作動させる専用のプロジェクタモード作動ＳＷを設け、このプロジェクタモード作動ＳＷの操作により、動作モードがプロジェクタモードに切り換えられるようにすることも可能である。
【００４５】
また、上記実施形態では、ファインダ内にペンタプリズム１４を設けた場合を説明したが、ペンタプリズム１４の代わりにペンタミラーを設けた構成とすることも可能である。
【００４６】
上記実施形態においては、本発明による撮影装置をデジタルカメラに適用した場合について説明したが、被写体像に撮影情報を重畳する表示手段を備えた、動画および静止画を撮影するビデオカメラなどの種々の撮影装置に本発明を適用することも可能である。このような撮影装置に本発明を適用した場合においても、上記実施形態と同様の作用効果が奏される。
【符号の説明】
【００４７】
１…デジタルカメラ
２…レンズユニット
３…ＡＦレンズ
４…ＡＦモータ
５…第一ミラー
６…第二ミラー
８…撮像素子
９…ＡＦモジュール
１０…背面モニタ
１１…ファインダ
１２…ファインダ内表示装置
１３…接眼レンズ
１４…ペンタプリズム
１５…プロジェクタミラー
１７…プロジェクタ光源
２１…ＣＰＵ
２６…画像表示回路
２７…動作モードＳＷ
２８…ＡＦ−ＳＷ
２９…レリーズＳＷ
３０…ＡＦ回路
３１…ＡＦレンズ駆動回路
３２…ミラー駆動回路
３４…光源駆動回路
３５…スクリーン
【図１】
2011010098.tif 000003
【図２】
2011010098.tif 000004
【図３】
2011010098.tif 000005
【図４】
2011010098.tif 000006
【図５】
2011010098.tif 000007